(57)【要約】【課題】柱と梁との接合部において許容可能な荷重を増大する鉄骨造の接合構造を提供する。【解決手段】鉄骨造の接合構造１は、柱２と、梁３と、鉛直ハンチ４とを備える。柱２は、柱方向に沿って延びる。柱２は、複数の柱部２１と、ダイアフラム２２と、を有している。梁３は、梁方向に延びる。梁３の梁端３ａは、柱２に固定されている。鉛直ハンチ４は、柱方向における梁３の下方側に設けられている。鉛直ハンチ４は、鉛直ハンチウェブ４１と、鉛直ハンチフランジ４３と、を有している。鉛直ハンチウェブ４１は、柱方向及び梁方向を含む面に沿って広がっており、柱方向及び梁方向に交差する横方向に沿って配列されている。鉛直ハンチフランジ４３は、柱方向に交差する面に沿って広がっている。鉛直ハンチウェブ４１は、梁に固定されており、鉛直ハンチフランジ４３は、鉛直ハンチウェブ４１に固定されると共にダイアフラム２２に固定されている。【選択図】図３
2018193676.tif 000002
【特許請求の範囲】
【請求項１】
複数の柱部とダイアフラムとを有し、第１方向に沿って延びる柱と、
前記第１方向に交差する第２方向に沿って延びており、その一端が前記柱に固定されている梁と、
前記第１方向における前記梁の少なくとも一方側に設けられ、前記柱及び前記梁に固定されている補強部と、を備え、
前記補強部は、
前記第１方向及び前記第２方向を含む面に沿って広がっており、前記第１方向及び前記第２方向に交差する第３方向に沿って配列されている複数の第１ウェブと、
前記第１方向に交差する面に沿って広がっているフランジと、を有し、
前記第１ウェブは、前記第１方向における前記梁側の第１端部と、前記第１方向における前記第１端部とは反対側の第２端部とを含み、
それぞれの前記第１ウェブの前記第１端部は、前記梁に固定されており、
前記フランジは、それぞれの前記第１ウェブの前記第２端部に固定されると共に前記ダイアフラムに固定されている、鉄骨造の接合構造。
【請求項２】
前記梁は、前記第１方向に沿って延びる補強ウェブを、有し、
前記補強部は、前記第２方向における前記補強部の前記柱とは反対側の先端部を含み、
前記補強ウェブは、前記先端部に対応する位置に設けられる、請求項１に記載の鉄骨造の接合構造。
【請求項３】
前記第１ウェブは、前記第２方向における前記第１ウェブの前記柱とは反対側の第３端部をさらに含み、
前記補強部は、
前記第２方向に交差する面に沿って広がっており、それぞれの前記第１ウェブの前記第３端部に固定されている第２ウェブ、を更に有する、請求項１又は２に記載の鉄骨造の接合構造。
【請求項４】
前記フランジは、当該フランジに対応する前記ダイアフラムと一体的に形成されている、請求項１〜３のいずれか一項に記載の鉄骨造の接合構造。
【請求項５】
前記第１方向及び前記第２方向を含む面に沿って広がっている補強部材を、更に備え、
前記柱の内部には充填材が充填されており、
前記梁は、前記第１方向及び前記第２方向を含む面に沿って広がっており、その一端が前記柱に固定されているウェブを有しており、
前記補強部材は、前記柱の内部において、前記ウェブが固定された前記柱の内面に前記ウェブに対向するように固定されており、
前記補強部材には、複数の貫通孔が形成されており、前記貫通孔には前記充填材が充填されている、請求項１〜４のいずれか一項に記載の鉄骨造の接合構造。
【発明の詳細な説明】
【技術分野】
【０００１】
本発明は、鉄骨造の接合構造に関する。
【背景技術】
【０００２】
特許文献１〜５には、柱に梁が固定された鉄骨造の接合構造について開示されている。このような鉄骨造の接合構造においては、柱と梁との接合部に、柱が延びる方向及び梁が延びる方向を含む面に沿って広がる１枚のウェブが設けられている。
【先行技術文献】
【特許文献】
【０００３】
【特許文献１】特開２００４−２５７００５号公報
【特許文献２】特開２００４−１６９２９８号公報
【特許文献３】特開２００２−３５６９１０号公報
【特許文献４】特開２００２−２０１７１９号公報
【特許文献５】特開平１１−８１４６０号公報
【発明の概要】
【発明が解決しようとする課題】
【０００４】
しかしながら、このような鉄骨造の接合構造が用いられるもの（例えば建物）が大規模になるに従って、柱と梁との接合部における許容荷重の向上が望まれている。また、接合部には、周期的なくりかえし荷重（特に長周期）といった種々の荷重にも耐えることが望まれている。
【０００５】
そこで、本発明は、柱と梁との接合部の耐荷重性を向上させ得る鉄骨造の接合構造を提供することを目的とする。
【課題を解決するための手段】
【０００６】
本発明の一形態に係る鉄骨造の接合構造は、複数の柱部とダイアフラムとを有し第１方向に沿って延びる柱と、第１方向に交差する第２方向に沿って延びており、その一端が柱に固定されている梁と、第１方向における梁の少なくとも一方側に設けられ、柱及び梁に固定されている補強部と、を備え、補強部は、第１方向及び第２方向を含む面に沿って広がっており、第１方向及び第２方向に交差する第３方向に沿って配列されている複数の第１ウェブと、第１方向に交差する面に沿って広がっているフランジと、を有し、第１ウェブは、第１方向における第１ウェブの梁側の第１端部と、第１方向における第１端部とは反対側の第２端部とを含み、それぞれの第１ウェブの第１端部は、梁に固定されており、フランジは、それぞれの第１ウェブの第２端部に固定されると共にダイアフラムに固定されている。
【０００７】
この鉄骨造の接合構造では、第１方向における梁の少なくとも一方側には、柱及び梁に固定されている補強部が設けられている。このため、梁が例えば第１方向に沿った荷重により撓もうとするときに、梁は補強部を介して柱に支えられる。つまり、補強部に掛かる荷重は、補強部を介して柱に伝わる。この鉄骨造の接合構造では、補強部が複数の第１ウェブを有しているため、荷重は各ウェブを介して柱に伝わる。すなわち、荷重は複数のウェブによって分散されながら柱に伝わる。従って、梁から柱に伝わる荷重が一箇所に集中しないので、柱と梁との接合部における最大応力が低減される。これにより、鉄骨造の接合構造は、接合部の耐荷重性が向上する。
【０００８】
本発明の一形態に係る鉄骨造の接合構造では、梁は、第１方向に沿って延びる補強ウェブを、有し、補強部は、第２方向における補強部の柱とは反対側の先端部を含み、補強ウェブは、先端部に対応する位置に設けられてもよい。梁が補強部によって支持されるとき、梁は補強部から反力を受ける。この反力は、梁において、補強部の先端部に固定された箇所にて最も大きくなり得る。この構造によれば、先端部に対応する位置に補強ウェブが設けられているので、梁は補強部から受ける反力に充分に対抗することができる。これにより、接合部の耐荷重性がさらに向上する。
【０００９】
本発明の一形態に係る鉄骨造の接合構造では、第１ウェブは、第２方向における第１ウェブの柱とは反対側の第３端部をさらに含み、補強部は、第２方向に交差する面に沿って広がっており、それぞれの第１ウェブの第３端部に固定されている第２ウェブ、を更に有してもよい。第２ウェブによれば、補強部の小口における剛性が高まる。従って、接合部の耐荷重性がいっそう向上する。
【００１０】
本発明の一形態に係る鉄骨造の接合構造では、フランジは、当該フランジに対応するダイアフラムと一体的に形成されていてもよい。この構成によれば、より簡単な構成で、接合部の耐荷重性を向上させることができる。
【００１１】
本発明の一形態に係る鉄骨造の接合構造は、第１方向及び第２方向を含む面に沿って広がっている補強部材を、更に備え、柱の内部には充填材が充填されており、梁は、第１方向及び第２方向を含む面に沿って広がっており、その一端が柱に固定されているウェブを有しており、補強部材は、柱の内部において、ウェブが固定された柱の内面にウェブに対向するように固定されており、補強部材には、複数の貫通孔が形成されており、貫通孔には充填材が充填されていてもよい。この構成によれば、補強部材は、梁のウェブが固定された柱の内面にウェブに対向するように固定されている。このため、梁が例えば第１方向に沿った荷重により撓むと、補強部材も柱を介して梁の撓みに伴って移動しようとする。そこで、補強部材は、充填材の中に埋もれており、更に、補強部材の貫通孔にも充填材が充填されている。このため、充填材による抵抗によって補強部材の移動が規制される。これにより、梁は、補強部材により支えられている。よって、この鉄骨造の接合構造によれば、柱と梁との接合部の強度がさらに向上する。
【発明の効果】
【００１２】
本発明によれば、柱と梁との接合部において許容可能な荷重を向上させ得る鉄骨造の接合構造を提供することができる。
【図面の簡単な説明】
【００１３】
【図１】一実施形態に係る鉄骨造の接合構造の斜視図である。
【図２】図１の鉄骨造の接合構造の平面図である。
【図３】図１の鉄骨造の接合構造の正面図である。
【図４】図１の部分拡大図である。
【図５】図１の鉄骨造の接合構造の側面図である。
【図６】図１の鉄骨造の接合構造の作用効果を説明する図である。
【図７】図１の鉄骨造の接合構造の変形例を示す図である。
【図８】図１の鉄骨造の接合構造の変形例を示す図である。
【図９】図１の鉄骨造の接合構造の変形例を示す図である。
【図１０】図１の鉄骨造の接合構造の変形例を示す図である。
【図１１】図１の鉄骨造の接合構造の変形例を示す図である。
【発明を実施するための形態】
【００１４】
以下、本発明の実施形態について、図面を参照して詳細に説明する。なお、各図において同一又は相当部分には同一符号を付し、重複する説明を省略する。
【００１５】
図１に示されるように、鉄骨造の接合構造１は、柱２と、梁３と、鉛直ハンチ（補強部）４と、を備えている。柱２は、例えば鉛直方向（第１方向、Ｚ軸方向）に沿って延びている。以下、柱２が延びる方向を柱方向と称する。梁３は、柱方向に交差する（ここでは、直交する）方向（第２方向、Ｘ軸方向）に沿って延びている。以下、梁３が延びる方向を梁方向と称する。梁３は、柱２に固定されている。鉛直ハンチ４は、柱２及び梁３の接合部に設けられている。以下、柱２、梁３、及び鉛直ハンチ４のそれぞれについて詳細に説明する。
【００１６】
柱２は、複数の柱部２１と、ダイアフラム２２と、ガセットプレート２３と、を有している。柱部２１は、柱方向に沿って延びている。柱部２１は、柱方向における両端が開口された四角形筒状を呈している。複数の柱部２１は、柱方向に沿って配列されている。
【００１７】
ダイアフラム２２は、柱方向において互いに隣接する柱部２１の間に配置されている。つまり、ダイアフラム２２は、柱方向において互いに隣接する柱部２１に挟まれている。ダイアフラム２２は、互いに隣接する柱部２１に固定されている。ダイアフラム２２は、板状を呈している。ダイアフラム２２は、柱方向に交差する（ここでは、直交する）面（Ｘ−Ｙ面）に沿って広がっている。柱方向において互いに隣接するダイアフラム２２間の距離は、７００ｍｍ程度である。
【００１８】
図２に示されるように、ダイアフラム２２の外縁は、柱方向から見た場合に、四角形状を呈している。ダイアフラム２２の外縁は、柱方向から見た場合に、柱部２１の外縁を含んでいる。柱方向から見た場合に、ダイアフラム２２の外縁と柱部２１の外縁とは平行である。ダイアフラム２２には、貫通孔２２ａが形成されている。ダイアフラム２２の貫通孔２２ａは、柱方向から見た場合に、柱部２１の内部に位置している。貫通孔２２ａは、柱方向から見た場合に、例えば円形状を呈している。以上のように構成された柱２は、中空状を呈している。柱２は、その内部に充填材２５が充填されている。充填材２５は、例えばコンクリートである。
【００１９】
図３に示されるように、ガセットプレート２３は、柱２の外面に固定されている。具体的には、ガセットプレート２３は、板状を呈している。ガセットプレート２３は、柱方向及び梁方向を含む面（Ｘ−Ｚ面）に沿って広がっている。梁方向におけるガセットプレート２３の基端部は、柱２の外面に固定されている。ガセットプレート２３は、ダイアフラム２２に固定されている。具体的には、柱方向におけるガセットプレート２３の上端部及び下端部は、互いに隣接するダイアフラム２２のそれぞれに固定されている。柱方向におけるガセットプレート２３の幅は、梁方向におけるガセットプレート２３の基端よりも先端が短くなっている。ガセットプレート２３には、複数の貫通孔２３ａが形成されている。
【００２０】
鉄骨造の接合構造１は、鋼板ジベル２４（補強部材）を更に備えている。鋼板ジベル２４は、柱２の内部において、柱２の内面２１ａに固定されている。鋼板ジベル２４は、ガセットプレート２３（及び後述する梁ウェブ３１）が固定された柱２の内面２１ａに固定されている。具体的には、鋼板ジベル２４は、板状を呈している。鋼板ジベル２４は、柱方向及び梁方向を含む面に沿って広がっている。鋼板ジベル２４は、柱方向に沿って延びている。鋼板ジベル２４は、梁方向における基端部が柱２の内面２１ａに固定されている。鋼板ジベル２４は、梁方向においてガセットプレート２３（及び後述する梁ウェブ３１）に対向するように固定されている。鋼板ジベル２４には、複数の貫通孔２４ａが形成されている。複数の貫通孔２４ａは、柱方向に沿って配列されている。鋼板ジベル２４は、充填材２５の中に埋もれている。貫通孔２４ａにも充填材２５が充填されている。
【００２１】
図４に示されるように、梁３は、梁ウェブ３１（ウェブ）と、上梁フランジ３２と、下梁フランジ３３と、補強ウェブ３４と、を有している。梁ウェブ３１は、板状を呈している。梁ウェブ３１は、柱方向及び梁方向を含む面に沿って広がっている。梁ウェブ３１は、梁方向に沿って延びている。柱方向における梁ウェブ３１の幅は、互いに隣接しているダイアフラム２２間の距離よりも短い。柱方向における梁ウェブ３１の幅は、６００ｍｍ程度である。梁ウェブ３１の厚さは、１２ｍｍ程度である。
【００２２】
上梁フランジ３２は、柱方向における梁ウェブ３１の上端部に固定されている。下梁フランジ３３は、柱方向における梁ウェブ３１の下端部に固定されている。上梁フランジ３２及び下梁フランジ３３は、柱方向において互いに対向している。上梁フランジ３２及び下梁フランジ３３は、板状を呈している。上梁フランジ３２及び下梁フランジ３３は、柱方向に交差する面に沿って広がっている。上梁フランジ３２及び下梁フランジ３３は、梁方向に沿って延びている。柱方向及び梁方向に交差する（ここでは、直交する）横方向（第３方向、Ｙ軸方向）における上梁フランジ３２及び下梁フランジ３３の幅は、２５０ｍｍ程度である。上梁フランジ３２及び下梁フランジ３３の厚さは、２５ｍｍ程度である。このように、梁３は、Ｈ型の断面となるように構成されている。
【００２３】
補強ウェブ３４は、鉛直ハンチ４の先端部４ａ（後述する）に対応する位置に設けられている。つまり、補強ウェブ３４は、梁方向において柱２から所定距離離れた位置に設けられている。図５に示されるように、補強ウェブ３４は、梁方向から見た場合に、横方向における梁ウェブ３１の両側に設けられている。補強ウェブ３４は、板状を呈している。補強ウェブ３４は、梁方向に交差する（ここでは、直交する）面（Ｙ−Ｚ面）に沿って広がっている。補強ウェブ３４は、柱方向に沿って延びている。それぞれの補強ウェブ３４は、横方向における梁ウェブ３１側の端部が梁ウェブ３１に固定されている。柱方向における補強ウェブ３４の上端部は、上梁フランジ３２に固定され、下端部は下梁フランジ３３に固定されている。補強ウェブ３４は、例えば溶接によって梁ウェブ３１、上梁フランジ３２及び下梁フランジ３３に固定されている。
【００２４】
再び図４に示されるように、梁方向における梁３の梁端３ａ（一端）は、柱２に固定されている。具体的には、梁３は、上梁フランジ３２が、柱２のダイアフラム２２に対向するように配置されている。梁方向における梁ウェブ３１の基端３１ａは、横方向から見た場合に、ガセットプレート２３と重なるように配置されている。そして、梁方向における梁ウェブ３１の基端（一端）３１ａは、ガセットプレート２３の貫通孔２３ａを介して、例えばボルトによってガセットプレート２３に固定されている。つまり、梁ウェブ３１の基端３１ａは、ガセットプレート２３を介して、柱２の外面に固定されている。また、上梁フランジ３２の柱２側の基端は、柱２のダイアフラム２２に固定されている。上梁フランジ３２は、例えば溶接によってダイアフラム２２に固定されている。
【００２５】
鉛直ハンチ４は、柱方向における梁３の下側に設けられている。鉛直ハンチ４は、一対の鉛直ハンチウェブ４１（複数の第１ウェブ）と、鉛直ハンチフランジ４３（フランジ）と、を有している。
【００２６】
鉛直ハンチウェブ４１は、横方向に沿って配列されている。鉛直ハンチウェブ４１は、横方向において互いに対向している。鉛直ハンチウェブ４１は、板状を呈している。鉛直ハンチウェブ４１は、柱方向及び梁方向を含む面に沿って広がっている。梁方向から見た場合に、鉛直ハンチウェブ４１は、横方向における梁ウェブ３１の両側に配置されている。梁方向から見た場合に、鉛直ハンチウェブ４１は、横方向において梁ウェブ３１から同間隔離れている。
【００２７】
鉛直ハンチウェブ４１は、横方向から見た場合に、四角形状を呈している。鉛直ハンチウェブ４１は、上端部４１ａ（第１端部）と、下端部４１ｂ（第２端部）と、先端部４１ｃ（第３端部）と、基端部４１ｄ（第４端部）と、を含んでいる。上端部４１ａは、柱方向における鉛直ハンチウェブ４１の梁３側の上辺である。下端部４１ｂは、柱方向における上端部４１ａとは反対側の下辺である。先端部４１ｃは、梁方向における鉛直ハンチウェブ４１の柱２とは反対側の端部である。基端部４１ｄは、梁方向における鉛直ハンチウェブ４１の柱２側の端部である。
【００２８】
鉛直ハンチフランジ４３は、柱方向における鉛直ハンチウェブ４１の梁３とは反対側に配置されている。鉛直ハンチフランジ４３は、板状を呈している。鉛直ハンチフランジ４３は、柱方向に交差する面に沿って広がっている。鉛直ハンチフランジ４３は、鉛直ハンチウェブ４１の下端部４１ｂに固定されている。鉛直ハンチフランジ４３は、例えば溶接によって鉛直ハンチウェブ４１の下端部４１ｂに固定されている。鉛直ハンチフランジ４３は、梁方向における柱２側の基端部が、上述した上梁フランジ３２が固定されたダイアフラム２２に隣接しているダイアフラム２２に対向している。
【００２９】
ここで、鉛直ハンチ４は、先端部４ａを含んでいる。この先端部４ａは、鉛直ハンチウェブ４１の先端部４１ｃと鉛直ハンチフランジ４３の先端部４３ｃとを含む。先端部４ａは、梁方向における鉛直ハンチ４の柱２とは反対側の端部である。鉛直ハンチ４の先端部４ａは、梁方向において柱２から所定距離離れている。鉛直ハンチ４の先端部４ａは、補強ウェブ３４の位置に対応している。柱方向における鉛直ハンチ４の幅は、１００ｍｍ程度である。梁方向における鉛直ハンチ４の幅は、３００ｍｍ程度である。
【００３０】
鉛直ハンチ４は、柱２及び梁３に固定されている。具体的には、鉛直ハンチフランジ４３は、梁方向における柱２側の基端部がダイアフラム２２に固定されている。鉛直ハンチフランジ４３は、例えば溶接によってダイアフラム２２に固定されている。なお、柱方向における鉛直ハンチフランジ４３の梁側の面には、溶接する際に生じ得る溶融金属の梁側への浸入を抑制するための板４９が設けられている。柱方向における上梁フランジ３２と鉛直ハンチフランジ４３との距離は、柱方向において互いに隣接するダイアフラム２２間の距離と同じである。
【００３１】
鉛直ハンチ４は、梁３に固定されている。より具体的には、鉛直ハンチウェブ４１の上端部４１ａは、梁３に固定されている。更に具体的には、鉛直ハンチウェブ４１の上端部４１ａは、梁３の下梁フランジ３３に固定されている。鉛直ハンチウェブ４１は、例えば溶接によって下梁フランジ３３に固定されている。
【００３２】
以上説明したように、鉄骨造の接合構造１では、柱方向における梁３の下側には、柱２及び梁３に固定されている鉛直ハンチ４が設けられている。このため、梁３が例えば柱方向に沿った荷重により撓もうとするときに、梁３は鉛直ハンチ４を介して柱２に支えられる。この際、鉛直ハンチ４に掛かる荷重は、鉛直ハンチ４の各部材に伝わって分散される。鉄骨造の接合構造１では、鉛直ハンチ４が一対の鉛直ハンチウェブ４１を有しているため、鉛直ハンチ４が１枚の鉛直ハンチウェブを有している場合に比べて、鉛直ハンチ４に掛かる荷重がよりよく分散される。つまり、柱２と梁３との接合部における最大応力が低減される。これにより、接合部の耐荷重性を向上させることができる。
【００３３】
また、鉛直ハンチ４が、柱方向における梁３の下側に設けられているため、縦配管との干渉を抑制することができる。これにより、縦配管の位置を変更する必要がなくなる。
【００３４】
また、鉛直ハンチ４が、柱方向における梁３の下側に設けられているため、例えば、梁方向における柱２の梁３とは反対側にも他の梁が固定されている場合であって、梁３と当該他の梁との高さの差が所定値（例えば、１５０ｍｍ程度）よりも小さい場合であっても、新たなダイアフラム２２を設ける必要がなくなる。これにより、鉛直ハンチ４だけで当該高さの差を処理することができる。また、コストを削減すると共に設計の自由度を広げることができる。また、全体の材料の量を下げることができる。
【００３５】
以下、鉛直ハンチ４に掛かる荷重が分散される効果について詳細に説明する。図６の（ａ）に示されるように、比較例に係る鉄骨造の接合構造１００は、鉛直ハンチ１０１を備えている。鉛直ハンチ１０１は、１枚の鉛直ハンチウェブ１０２を有している。鉄骨造の接合構造１００において、梁１０３に柱方向に沿った荷重Ｎが掛かった場合に、この荷重Ｎは鉛直ハンチ１０１に伝わる。鉛直ハンチ１０１に伝わった荷重Ｎは、鉛直ハンチウェブ１０２を介して鉛直ハンチフランジ１０５まで分散される。図６の（ａ）のグラフＧ１は、横方向に沿った荷重の分布を概略的に示す。この際、横方向における鉛直ハンチウェブ１０２に掛かる荷重分布Ｆ１（グラフＧ１参照）は、鉛直ハンチウェブ１０２付近でピークに達し、鉛直ハンチウェブ１０２から離れると共に低下する。
【００３６】
これに対して、本実施形態の鉄骨造の接合構造１では、図６の（ｂ）に示されるように、鉛直ハンチ４は、一対の鉛直ハンチウェブ４１を有している。同様に、鉄骨造の接合構造１において、梁３に柱方向に沿った荷重Ｎが掛かった場合には、この荷重Ｎは鉛直ハンチ４に伝わる。鉛直ハンチ４に伝わった荷重Ｎは、一対の鉛直ハンチウェブ４１を介して鉛直ハンチフランジ４３まで分散される。図６の（ｂ）のグラフＧ２は、横方向に沿った荷重の分布を概略的に示す。この際、横方向における鉛直ハンチウェブ４１に掛かる荷重分布Ｆ２（グラフＧ２参照）は、鉛直ハンチウェブ４１付近でピークに達し、鉛直ハンチウェブ４１から離れると共に低下する。すなわち、荷重Ｎの大きさが比較例（図６の（ａ））と同じであるとするならば、本実施形態においては、荷重分布Ｆ２のピークは、荷重分布Ｆ１のピークの半分になると予想される。従って、荷重分布Ｆ２のピーク値は、荷重分布Ｆ１のピーク値よりも小さい。このように、本実施形態の鉄骨造の接合構造１では、柱２と梁３との接合部に発生する最大荷重が低減される。
【００３７】
また、鉄骨造の接合構造１では、梁３は、柱方向に沿って延びる補強ウェブ３４を、有し、鉛直ハンチ４は、梁方向における鉛直ハンチ４の柱２とは反対側の先端部４ａを含み、補強ウェブ３４は、先端部４ａに対応する位置に設けられている。この構造によれば、先端部４１ｃに対応する位置に補強ウェブ３４が設けられているので、梁３は鉛直ハンチ４から受ける反力に充分に対抗することができる。これにより、接合部の耐荷重性がさらに向上する。
【００３８】
また、鉄骨造の接合構造１は、柱方向及び梁方向を含む面に沿って広がっている鋼板ジベル２４を、更に備え、柱２の内部には充填材２５が充填されており、梁３は、柱方向及び梁方向を含む面に沿って広がっており、その基端３１ａが柱２に固定されている梁ウェブ３１を有しており、鋼板ジベル２４は、柱２の内部において、梁ウェブ３１が固定された柱２の内面２１ａに梁ウェブ３１に対向するように固定されており、鋼板ジベル２４には、複数の貫通孔２４ａが形成されており、貫通孔２４ａには充填材２５が充填されている。この構成によれば、鋼板ジベル２４は、梁３の梁ウェブ３１が固定された柱２の内面２１ａに梁ウェブ３１に対向するように固定されている。このため、梁３が例えば柱方向に沿った荷重により撓むと、鋼板ジベル２４も柱２を介して梁３の撓みに伴って移動しようとする。そこで、鋼板ジベル２４は、充填材２５の中に埋もれており、更に、鋼板ジベル２４の貫通孔２４ａにも充填材２５が充填されている。このため、充填材２５による抵抗によって鋼板ジベル２４の移動が規制される。これにより、梁３は、鋼板ジベル２４により支えられている。よって、鉄骨造の接合構造１によれば、柱２と梁３との接合部の強度が向上される。また、この構成によれば、梁ウェブ３１の基端３１ａも曲げ耐力に寄与する。
【００３９】
以上、本発明の一実施形態について説明したが、本発明は、上述した実施形態に限定されるものではない。
【００４０】
例えば、図７に示されるように、変形例１に係る接合構造１Ａは、鉛直ハンチ４Ａを備えている。鉛直ハンチ４Ａは、柱方向における梁３の上側に設けられていてもよい。また、変形例２に係る接合構造１Ｂは、鉛直ハンチ４，４Ａを備えている。図８に示されるように、鉛直ハンチ４，４Ａは、柱方向における梁３の両側に設けられていてもよい。つまり、鉛直ハンチは、柱方向における梁３の少なくとも一方側に設けられている。
【００４１】
また、図９に示されるように、変形例３に係る接合構造１Ｃは、鉛直ハンチ４Ｃを備えている。鉛直ハンチ４Ｃは、鉛直ハンチウェブ４４（第２ウェブ）を更に有していてもよい。具体的には、鉛直ハンチウェブ４４は、板状を呈している。鉛直ハンチウェブ４４は、梁方向に交差する面に沿って広がっている。鉛直ハンチウェブ４４は、鉛直ハンチウェブ４１の先端部４１ｃに固定されている。鉛直ハンチウェブ４４は、例えば溶接によって鉛直ハンチウェブ４１の先端部４１ｃに固定されている。鉛直ハンチウェブ４４は、梁３に固定されている。具体的には、柱方向における鉛直ハンチウェブ４４の上端部は、例えば溶接によって下梁フランジ３３に固定されている。鉛直ハンチウェブ４４は、鉛直ハンチフランジ４３に固定されている。具体的には、鉛直ハンチウェブ４４は、梁方向における鉛直ハンチフランジ４３の柱２とは反対側の先端部に例えば溶接によって固定されている。鉛直ハンチウェブ４４によれば、鉛直ハンチ４Ｃの小口における剛性が高まる。従って、接合部の耐荷重性がいっそう向上する。なお、鉛直ハンチウェブ４４は、梁３及び鉛直ハンチフランジ４３に固定されていなくてもよい。
【００４２】
また、図１０に示されるように、変形例４に係る接合構造１Ｄは、鉛直ハンチ４Ｄを備えている。鉛直ハンチ４Ｄは、縦ウェブ（第３ウェブ）４５を更に有していてもよい。具体的には、縦ウェブ４５は、板状を呈している。縦ウェブ４５は、梁方向に交差する面に沿って広がっている。縦ウェブ４５は、鉛直ハンチウェブ４１の基端部４１ｄに固定されている。縦ウェブ４５は、例えば溶接によって鉛直ハンチウェブ４１の基端部４１ｄに固定されている。縦ウェブ４５は、鉛直ハンチウェブ４１の基端部４１ｄに固定されている。縦ウェブ４５は、例えば溶接によって鉛直ハンチウェブ４４１の基端部４１ｄに固定されている。縦ウェブ４５は、梁３に固定されている。具体的には、柱方向における縦ウェブ４５の上端部は、下梁フランジ３３に固定されている。縦ウェブ４５は、例えば溶接によって下梁フランジ３３に固定されている。縦ウェブ４５は、鉛直ハンチフランジ４３に固定されている。具体的には、縦ウェブ４５は、梁方向における鉛直ハンチフランジ４３の柱２側の基端部に固定されている。縦ウェブ４５は、例えば溶接によって鉛直ハンチフランジ４３に固定されている。この構成によれば、鉛直ハンチ４Ｄの小口における剛性がさらに高まる。従って、接合部の耐荷重性がいっそう向上する。なお、縦ウェブ４５は、梁３及び鉛直ハンチフランジ４３に固定されていなくてもよい。
【００４３】
また、図１１に示されるように、変形例５に係る接合構造１Ｅは、ダイアフラム２２Ａを備えている。ダイアフラム２２Ａは、鉛直ハンチフランジ４３と、ダイアフラム２２とが一体的に形成されたものであり、鉛直ハンチフランジ部２２ｂと、ダイアフラム部２２ｃとを含む。この構成によれば、より簡単な構成で、接合部の耐荷重性を向上させることができる。
【００４４】
また、柱部２１の形状は限定されない。柱部２１は、例えば円筒状を呈していてもよい。また、ダイアフラム２２の形状は限定されない。ダイアフラム２２の外縁は、柱方向から見た場合に、例えば円形状を呈していてもよい。また、貫通孔２２ａの形状は限定されない。貫通孔２２ａは、柱方向から見た場合に、例えば四角形状を呈していてもよい。また、柱方向から見た場合に、ダイアフラム２２の外縁は柱２の外縁を含まなくてもよい。柱方向から見た場合に、ダイアフラム２２の外縁は柱２の外縁と一致していてもよい。また、柱方向から見た場合に、ダイアフラム２２の外縁と柱部２１の外縁とは平行でなくてもよい。また、充填材２５の材料としては、コンクリート以外の様々の材料が採用されてもよい。
【００４５】
また、柱２は、鉛直方向に沿って延びていなくてもよい。柱２は、鉛直方向に対して傾いた方向に沿って延びていてもよい。
【００４６】
また、梁３は、柱方向に直交する方向に沿って延びていなくてもよい。梁３は、柱方向に対して傾いた方向に沿って延びていてもよい。
【００４７】
また、柱２は、その内部に充填材２５が充填されていなくてもよい。柱２は、その内部が中空でもよい。
【符号の説明】
【００４８】
１…鉄骨造の接合構造、２…柱、２１…柱部、２１ａ…内面、２２…ダイアフラム、２４…鋼板ジベル（補強部材）、２４ａ…貫通孔、２５…充填材、３…梁、３ａ…梁端、３１…梁ウェブ、３１ａ…基端、３４…補強ウェブ、４…鉛直ハンチ（補強部）、４ａ…先端部、４１…鉛直ハンチウェブ（第１ウェブ）、４１ａ…上端部（第１端部）、４１ｂ…下端部（第２端部）、４１ｃ…先端部（第３端部）、４１ｄ…基端部（第４端部）、４３…鉛直ハンチフランジ（フランジ）、４４…鉛直ハンチウェブ（第２ウェブ）、４５…縦ウェブ（第３ウェブ）。
【図１】
2018193676.tif 000003
【図２】
2018193676.tif 000004
【図３】
2018193676.tif 000005
【図４】
2018193676.tif 000006
【図５】
2018193676.tif 000007
【図６】
2018193676.tif 000008
【図７】
2018193676.tif 000009
【図８】
2018193676.tif 000010
【図９】
2018193676.tif 000011
【図１０】
2018193676.tif 000012
【図１１】
2018193676.tif 000013